(57)【要約】【課題】  棚装置の下部を斜め前方に突き出すようにして傾斜させることなく、棚装置下部に載置された物品を前方斜め上方に傾斜して載置できる傾斜可能な棚板を備えた棚装置を提供すること。【解決手段】  左右の側板４前部の下部同士を框３で連結するとともに、後方側の係着孔６ａ’群の少なくとも最下段の係着孔を框３の上端縁より低い位置に設け、最下段の棚板７下面の前方の凹溝部１４ａを框３の上端縁上の係着孔６ａに係止した棚受け具１０に、後方の凹溝部１４ａを框３の上端縁より低い位置に設けた係着孔６ａ’に係止した棚受け具１０’に嵌合させることで、少なくとも最下段の棚板７を後方傾斜して左右の側板４，間に架設する。【選択図】  図５
2006130176.tif 000002
【特許請求の範囲】
【請求項１】
左右の側板の前方および後方に各々上下方向に並ぶ複数の係着孔が形成され、該係着孔の適宜の位置に棚受け具が係止され、各棚受け具を、棚板下面の左右前後に設けられた凹溝に嵌合することで、左右の側板間に棚板が架設された棚装置において、左右の側板前部の下部同士を連結する框が設けられるとともに、前記後方側の係着孔群の少なくとも最下段の係着孔を前記框の上端縁より低い位置に設け、最下段の棚板下面の前方の凹溝を前記框の上端縁上の係着孔に係止した棚受け具に、後方の凹溝を前記框の上端縁より低い位置に設けた係着孔に係止した棚受け具に嵌合させることで、該棚板を後方傾斜して前記左右の側板間に架設したことを特徴とする傾斜可能な棚板を備えた棚装置。
【請求項２】
前記最下段の棚板下面の下方位置には、前記左右の側板間の下部を連結する底板が床面と略水平状態で架設されている請求項１に記載の傾斜可能な棚板を備えた棚装置。
【請求項３】
前記最下段の棚板の後端部の後方近傍位置には、前記左右の側板間の下部を連結する下貫材が前記底板に垂直に立設されている請求項２に記載の傾斜可能な棚板を備えた棚装置。
【請求項４】
前記最下段の棚板下面の後方の凹溝に嵌合される棚受け具を上方の係着孔に係着させ、前記最下段の棚板を略水平となるように架設可能とした請求項１乃至３のいずれかに記載の傾斜可能な棚板を備えた棚装置。
【請求項５】
前記左右の側板に対して棚板が前後一対上下方向に配設されている請求項１乃至４のいずれかに記載の傾斜可能な棚板を備えた棚装置。
【発明の詳細な説明】
【技術分野】
【０００１】
本発明は、左右の側板の前方および後方に各々上下方向に並ぶ複数の係着孔が形成され、該係着孔の適宜の位置に棚受け具が係止され、各棚受け具を、棚板下面の左右前後に設けられた凹溝に嵌合することで、左右の側板間に棚板を傾斜させて架設した棚装置に関する。
【背景技術】
【０００２】
従来、商品等の物品を陳列する棚装置においては、上下方向に複数の商品載置棚板が設けられており、購入者が棚装置に陳列された物品の全体を見渡せるように、棚装置の下部前面が斜め前方に向けて傾斜されており、購入者が屈まなくとも棚装置下部に陳列された物品を一望することが可能になっている（例えば、特許文献１参照）。
【０００３】
【特許文献１】特開平９−７５１８４号公報（図１参照）
【発明の開示】
【発明が解決しようとする課題】
【０００４】
しかしながら、特許文献１にあっては、棚装置の下部を斜め前方に突き出すようにして傾斜させた形状としたことにより、棚装置の下部が前方に迫り出すので、床面に対する棚装置の床占有面積が大きくなり省スペースの店舗等には不向きであった。また、棚装置の特殊な形状により、製造コストが多く掛かっていた。
【０００５】
本発明は、このような問題点に着目してなされたもので、棚装置の下部を斜め前方に突き出すようにして傾斜させることなく、棚装置下部に載置された物品を前方斜め上方に傾斜して載置できる傾斜可能な棚板を備えた棚装置を提供することを目的とする。
【課題を解決するための手段】
【０００６】
上記課題を解決するために、本発明の請求項１に記載の傾斜可能な棚板を備えた棚装置は、左右の側板の前方および後方に各々上下方向に並ぶ複数の係着孔が形成され、該係着孔の適宜の位置に棚受け具が係止され、各棚受け具を、棚板下面の左右前後に設けられた凹溝に嵌合することで、左右の側板間に棚板が架設された棚装置において、左右の側板前部の下部同士を連結する框が設けられるとともに、前記後方側の係着孔群の少なくとも最下段の係着孔を前記框の上端縁より低い位置に設け、最下段の棚板下面の前方の凹溝を前記框の上端縁上の係着孔に係止した棚受け具に、後方の凹溝を前記框の上端縁より低い位置に設けた係着孔に係止した棚受け具に嵌合させることで、該棚板を後方傾斜して前記左右の側板間に架設したことを特徴としている。
この特徴によれば、左右の側板間に最下段の棚板が框の上端縁より低い位置に向けて後傾した状態で架設されるので、棚装置下部のスペースを有効利用して棚板の後傾角度を確保できる。したがって、書籍等の物品を最下段の棚板に載置させた場合でも、物品が前方斜め上方を向いて傾斜されるので、棚利用者にとって物品の検索が容易に行え、且つ棚装置の床占有面積を広く確保する必要がなく、棚装置の大型化を防ぎ棚装置の製造コストの低減も図れる。
【０００７】
本発明の請求項２に記載の傾斜可能な棚板を備えた棚装置は、請求項１に記載の傾斜可能な棚板を備えた棚装置であって、前記最下段の棚板下面の下方位置には、前記左右の側板間の下部を連結する底板が床面と略水平状態で架設されていることを特徴としている。
この特徴によれば、複数の棚板が左右の側板間に架設され、各棚板に物品が載置され荷重が加わった場合であっても、棚装置の下部の連結強度が底板の連結によって補強されているので、強固な棚装置の枠組みが確保される。
【０００８】
本発明の請求項３に記載の傾斜可能な棚板を備えた棚装置は、請求項２に記載の傾斜可能な棚板を備えた棚装置であって、前記最下段の棚板の後端部の後方近傍位置には、前記左右の側板間の下部を連結する下貫材が前記底板に垂直に立設されていることを特徴としている。
この特徴によれば、最下段の棚板に載置された物品が後方に後傾された場合でも、下貫材によって物品の背面が支持され、後方への落ち込みを防止できるとともに、下貫材による左右の側板間の連結によって棚装置の下部の連結強度が底板と共同してさらに高められる。
【０００９】
本発明の請求項４に記載の傾斜可能な棚板を備えた棚装置は、請求項１乃至３のいずれかに記載の傾斜可能な棚板を備えた棚装置であって、前記最下段の棚板下面の後方の凹溝に嵌合される棚受け具を上方の係着孔に係着させ、前記最下段の棚板を略水平となるように架設可能としたことを特徴としている。
この特徴によれば、後方の棚受け具を上方の係着孔に係着させ、棚板下面後方の凹溝に嵌合させることで、略水平方向に棚板を架設できることから、棚板の傾斜角度を棚装置の利用形態に合わせて適宜選択できるので、物品を傾斜させての展示だけでなく、場合に応じて略水平状態としての展示も可能となる。
【００１０】
本発明の請求項５に記載の傾斜可能な棚板を備えた棚装置は、請求項１乃至４のいずれかに記載の傾斜可能な棚板を備えた棚装置であって、前記左右の側板に対して棚板が前後一対上下方向に配設されていることを特徴としている。
この特徴によれば、下方にある物品を傾斜載置させるために側板の下方を広げる必要がないので、前後に一対の棚板を設けたとしても、床占有面積を広く確保する必要のない棚装置を提供できる。
【発明を実施するための最良の形態】
【００１１】
本発明の実施例を以下に説明する。
【実施例１】
【００１２】
図１は、本発明の実施例１における棚装置の全体像を示す斜視図であり、図２は、後面板が設けられた棚板の下面側より棚装置を見上げた一部破断斜視図であり、取付金具への棚受け具の取り付け、及び棚受け具に棚板が載置された状態を示し、図３は、棚板に受け部材を取り付ける状態を示す組立斜視図であり、図４は、図１のＡ−Ａ線の側断面図であり、図５は、棚装置の最下段の棚板と、該棚板の上部に位置する棚板の架設状態を示す要部拡大側面図である。
【００１３】
この棚板は書籍等の物品の載置棚として用いられている。そこで、本発明の実施例１を図面に基づいて説明すると、まず図１に示されるように、棚装置１は主に、左右に立設された側板４，４と、これら側板４，４の上端部に設けられた天板２と、側板４，４の下端部に立設された框３と、から構成される枠体である棚本体１ａと、棚本体１ａ内の上下方向に向けて複数段（本実施例では５段）架設された棚板７とで構成されている。以下、本実施例では棚装置１の正面側を前方とし、背面側を後方とし、側板４，４側を左右方向として説明する。なお、棚装置１は前後の中央部から前後対称の同一構造となっているので、本実施例では主に前方側の棚装置構造の説明をし、後方側の説明を割愛する。
【００１４】
各棚板７の後端側には、金属板の後面板８が上方に向けて延設され、棚板７に物品２０を載置した際に、物品２０が後方に落下しないように支え板となっている。棚板７の下面には金属棒の折り曲げ加工により成型された仕切部材１６が設けられ、この仕切部材１６によって下方の棚板に載置した物品２０の左右方向の移動が規制されるとともに、物品２０の左右方向の倒れ込みも防止されている。
【００１５】
側板４，４の内側面の前方および後方位置には、図示しない条溝が上下方向に向けて形成され、これら前後の条溝に上下の長さ方向に向けて取付金具６，６’がそれぞれ設けられており、図２に示されるように、取付金具６，６’には、棚受け具１０，１０’を固定支持するための係着孔６ａ，６ａ’が前後方向に幅広の横長矩形で上下方向に向けて複数穿設されており、これら係着孔６ａ，６ａ’の所定の高さ位置には、棚受け具１０，１０’が係着されている。
【００１６】
この棚受け具１０，１０’は、係着孔６ａ，６ａ’内に係着される鈎状のフックが形成された係着体１１と、棚板７を支持する断面円形状の棚支持用ナット１２とから一体成形され、係着体１１が取付金具６，６’の係着孔６ａ，６ａ’に係合され、さらに棚支持用ナット１２をねじ込むことで、棚受け具１０，１０’が係着孔６ａ，６ａ’に係着され安易に取り外れないように固定されている。
【００１７】
次に、棚板７について具体的に説明すると、図２に示すように、棚板７の下面７ｄには左右の長さ方向に、棚板７の左側端面から右側面端まで、前後位置にそれぞれ凹溝７ａ，７ａ’が形成されている。両凹溝７ａ，７ａ’には、その左右端に受け部材１４（本実施例ではプラスチック樹脂で成型）が嵌入されて設けられており、受け部材１４の下面には凹溝部１４ａが形成されている。
【００１８】
そして、前方の棚受け具１０に受け部材１４の凹溝部１４ａを嵌合させ、後方の棚受け具１０’に受け部材１４の凹溝部１４ａをそれぞれ嵌合させることで、棚本体１ａの左右の側板４間に棚板７が安定して架設されている。この受け部材１４の凹溝部１４ａ内には、仕切部材１６が左右方向に摺動可能に設けられている。
【００１９】
また、棚板７の後端部７ｃには金属板の後面板８が設けられ、下端部を前方に向けて屈曲させ取付部８ａが形成され、ネジ１７で棚板７の後端部７ｃに螺合させることで後面板８が固定されている。後面板８の取付部８ａから上方に向けて延設された上端縁は、後方に向けて側面視コ字状で下向きに折り曲げ加工され、上端縁に角が立たないように形成して、棚板７に載置される物品２０を傷めない構成となっている。
【００２０】
受け部材１４について具体的に説明すると、図３に示されるように、受け部材１４には、下面に向けて開口される側面視コ字状の凹溝部１４ａが左右の長さ方向に形成され、凹溝部１４ａの下向き開口の前後位置には、内側方向に向けて突出され、さらに上方に向けて突出するように摺動部１４ｂが形成されている。受け部材１４の外周面には断面複数段状の嵌入部１４ｃが形成されている。
【００２１】
そこで、受け部材１４の凹溝部１４ａの閉塞側を上向きにして、棚板７の凹溝７ａに向けて押圧していくと、前後の嵌入部１４ｃ，１４ｃが凹溝７ａの内側面にきつく嵌入され、凹溝７ａ内に受け部材１４が確実に保持され強固に固定されるようになっている。このようにして、棚板７の前後の凹溝７ａ，７ａ’に受け部材１４を介して凹溝部１４ａが形成され、凹溝部１４ａ内に棚受け具１０，１０’を嵌合可能になっている。
【００２２】
図４に示されるように、左右の側板４，４に対して後面板８が設けられた棚板７が前後一対で上下方向に複数架設され配置されており、側板４の下方の前部には、床面１８から上方に立設するように框３が設けられ、この框３の上端縁よりも下方位置に左右の側板４，４の中央部同士を連結する底板５が床面１８と略水平状態で架設され、ボルト等で連結固定されている。
【００２３】
最下段の棚板７の後端部７ｃの後方近傍位置には、左右の側板４，４間の下部を連結する下貫材５ａが底板５の中央位置から上方に向け垂直に立設し、ボルト等で連結固定されており、さらに側板４の中央位置および上方位置には、中貫材５ｂおよび上貫材５ｃがボルト等で連結固定されている。
【００２４】
このように、これら下貫材５ａ，中貫材５ｂ，上貫材５ｃによって側板４，４の連結強度が高められ、複数架設された棚板７に物品２０等が載置されて、棚装置１全体に荷重が負荷された場合であっても、棚装置１の下部の連結強度が底板５の連結によって補強されているので、強固な棚装置１の枠組みが確保されている。
【００２５】
なお、最下段の棚板７および最下段の棚板７の上方に位置する棚板７、さらに上方に位置する棚板７は、前方から後方に向けて後傾され、左右の側板４，４間に架設されていることから、これら棚板７に載置される物品２０が棚装置１の外方に向けて、前方斜めに向けて傾斜されている。
【００２６】
したがって、例えば購入者が屈まなくとも棚装置１の下部に陳列された物品２０を一望することが可能になっており、物品２０を傾斜載置させるために側板４，４の下方を広げる必要がないので、前後に一対の棚板７を設けたとしても、床占有面積を広く確保する必要がなく、省スペースに対応可能な棚装置となっている。
【００２７】
次いで、仕切部材１６の取り付けについて説明すると、図５に示されるように、最下段の棚板７の上方に位置する棚板７の仕切部材１６の前方端部には、前方を向く下向き鈎状の係止片１６ａが形成され、同じく後方端部には後方を向く下向き係止片１６ａ’が形成されており、前方の係止片１６ａを凹溝部１４ａの前方位置に形成された摺動部１４ｂに係止させ、後方の係止片１６ａ’を凹溝部１４ａの後方位置に形成された摺動部１４ｂに係止させることで、左右の側板４，４方向に摺動可能に取り付けられている。
【００２８】
次に、図５に示された側板４の下方位置に設けられた最下段の棚板７について具体的に説明すると、前方の棚受け具１０の取付位置を框３の上端縁３ａの高さより、高い位置に形成された前方の係着孔６ａに係着させ、後方の棚受け具１０’の取付位置を框３の上端縁３ａの高さ位置より、低い位置に形成された後方の係着孔６ａ’に係着させる。
【００２９】
そして、前方の棚受け具１０に棚板７前方の受け部材１４の凹溝部１４ａを嵌合させ、後方の棚受け具１０’に棚板７後方の受け部材１４の凹溝部１４ａを嵌合させることで、棚板７が前方から後方に向かって後傾させた状態で左右の側板４，４間に架設される。同様に、最下段の棚板７の上方に位置する棚板７も前方の棚受け具１０の高さより、後方の棚受け具１０’の係着位置を低くさせ、前方から後方に向けて後傾させて、左右の側板４，４間に架設されている。
【００３０】
最下段の棚板７に物品２０が載置されると、物品２０も棚板７に沿って後傾されるが、後面板８によって後方側への落ち込みが防止されている。さらに、棚板７の後端部７ｃの後方近傍位置には、下貫材５ａが立設されているので、丈が高い物品が後方に後傾された場合でも、下貫材５ａによって物品２０の背面が支持され、後方への落ち込みを防止できる構成になっている。
【００３１】
以上の説明により実施例１では、左右の側板４，４間に最下段の棚板７が框３の上端縁より低い位置に向けて後傾した状態で架設されるので、棚装置１の下部のスペースを有効利用して棚板７の後傾角度を確保できる。したがって、書籍等の物品２０を最下段の棚板７に載置させた場合でも、物品２０が前方斜め上方を向いて傾斜されるので、棚利用者にとって物品２０の検索が容易に行え、且つ棚装置１の床占有面積を広く確保する必要がなく、棚装置１の大型化を防ぎ棚装置１の製造コストの低減も図れる。
【実施例２】
【００３２】
次に、本発明の実施例２を図６に基づいて説明する。図６は、棚装置の最下段の棚板を水平状態に架設した状態を示す要部拡大側面図である。なお、以下の実施例２において前述の実施例１と同様の構造部分に関しては、同一の符号を付すことにより詳細な説明は省略することにする。
【００３３】
図６に示されるように、最下段の棚板７において、前方の棚受け具１０を框３の上端縁３ａの高さより高い位置に形成された前方の係着孔６ａに係着させ、後方の棚受け具１０’も框３の上端縁３ａよりも高い位置であって前方の棚受け具１０と同じ高さ位置の係着孔６ａ’に係着させる。そして、前方の棚受け具１０に棚板７前方の受け部材１４の凹溝部１４ａを嵌合させ、後方の棚受け具１０’に棚板７後方の受け部材１４の凹溝部１４ａを嵌合させることで、最下段の棚板を略水平となるように左右の側板４，４間に架設させている。
【００３４】
以上の説明により実施例２では、後方の棚受け具１０’を上方の係着孔６ａ’に係着させ、棚板７の後方に設けられた受け部材１４の凹溝部１４ａに嵌合させることで、略水平方向に棚板７を架設できることから、棚板７の傾斜角度を棚装置１の利用形態に合わせて適宜選択できるので、物品２０を傾斜させての展示だけでなく、場合に応じて略水平状態としての展示も可能となる。
【００３５】
以上、本発明の実施例１，２を図面により説明してきたが、具体的な構成はこれら実施例に限られるものではなく、本発明の要旨を逸脱しない範囲における変更や追加があっても本発明に含まれ、例えば上記実施例では、棚板７の前後の凹溝７ａ，７ａ’に受け部材１４，１４を嵌合させることで、仕切部材１６を棚板７の下面に設けられることから好ましいが、本発明はこれに限定されるものではなく、棚板７に受け部材１４を設けずに、前方の棚受け具１０に棚板７の前方の凹溝７ａを嵌合させ、後方の棚受け具１０’に後方の凹溝７ａ’を嵌合させることで、直に棚板７を左右の側板４，４に架設させても良い。
【００３６】
また、上記実施例では、前後に一対の棚板７が上下方向に設けられた棚装置１となっており、棚装置１の前面および背面側から物品２０を多く収納可能になっているが、本発明はこれに限定されるものではなく、前面側のみ上下方向に棚板７が複数段設けられた片面構造の棚装置を用いても良いことは言うまでもない。
【図面の簡単な説明】
【００３７】
【図１】本発明の実施例１における棚装置の全体像を示す斜視図である。
【図２】後面板が設けられた棚板の下面側より棚装置を見上げた一部破断斜視図であり、取付金具への棚受け具の取り付け、及び棚受け具に棚板が載置された状態を示す。
【図３】棚板に受け部材を取り付ける状態を示す組立斜視図である。
【図４】図１のＡ−Ａ線の側断面図である。
【図５】棚装置の最下段の棚板と、該棚板の上部に位置する棚板の架設状態を示す要部拡大側面図である。
【図６】実施例２における棚装置の最下段の棚板を水平状態に架設した状態を示す要部拡大側面図である。
【符号の説明】
【００３８】
１                    棚装置
１ａ                  棚本体
２                    天板
３                    框
３ａ                  上端縁
４                    側板
５                    底板
５ａ                  下貫材
５ｂ                  中貫材
５ｃ                  上貫材
６、６’              取付金具
６ａ、６ａ’          係着孔
７                    棚板
７ａ、７ａ’          凹溝
７ｃ                  後端部
７ｄ                  下面
８                    後面板
８ａ                  取付部
１０                  前方の棚受け具
１０’                後方の棚受け具
１１                  係着体
１２                  棚支持用ナット
１４                  受け部材
１４ａ                凹溝部
１４ｂ                摺動部
１４ｃ                嵌入部
１６                  仕切部材
１６ａ、１６ａ’      係止片
２０                  物品
【図１】
2006130176.tif 000003
【図２】
2006130176.tif 000004
【図３】
2006130176.tif 000005
【図４】
2006130176.tif 000006
【図５】
2006130176.tif 000007
【図６】
2006130176.tif 000008